(57)【要約】【課題】  本発明は、液晶パネルを通した液晶ディスプレイ装置におけるモアレ現象の発生を十分に解消するレンズフィルムを提供することを課題とする。【解決手段】  透光フィルムの少なくとも一面に、断面視連続山形のレンズアレイを形成してなるレンズフィルムであって、レンズアレイは、連続山形の（谷或いは山）稜線に、重畳される液晶パネルの電極格子に対して、この電極格子の１画素の縦横比に対応した勾配をもたせて、平面内で斜行させたことを特徴とする。また、上記レンズフィルムにおいて、前記勾配は、重畳される液晶パネルの１画素内で一端から他端へ至る縦距において、レンズアレイの連続山形の稜線が、一端の谷稜線から他端の山稜線（或いは山稜線から谷稜線）へと移動するような勾配とすることが好ましい。【選択図】  図１
2006017957.tif 000002
【特許請求の範囲】
【請求項１】
液晶パネルと光源との間へ重畳されて組み込まれ、透光フィルムの少なくとも一面に、断面視連続山形のレンズアレイを形成してなるレンズフィルムであって、レンズアレイは、連続山形の谷或いは山の少なくともいずれかの稜線に、重畳される液晶パネルの電極格子の１画素の縦横辺に対する勾配をもたせて、平面内で斜行させたことを特徴とするレンズフィルム。
【請求項２】
勾配は、重畳される液晶パネルの１画素内で一端から他端へ至る縦距において、レンズアレイの連続山形の稜線が、一端の谷稜線から他端の山稜線へと移動するような勾配である請求項１記載のレンズフィルム。
【請求項３】
共通する絶対値の勾配を正負交互に連続形成して、レンズアレイの谷或いは山の少なくともいずれかの稜線を、液晶パネルの電極格子の横辺幅内で蛇行させてなる請求項１または２記載のレンズフィルム。
【請求項４】
複数のレンズピッチを一周期とする複合ピッチレンズフイルムであって、液晶パネルの電極に対しレンズフイルムの山あるいは谷の稜線を一画素の縦距内で半周期移動するような勾配を設けてなる請求項１、２または３記載のレンズフィルム。
【請求項５】
互いに角度を変えて稜線の交わるレンズアレイを、透光フィルムの表裏面にそれぞれ形成してなる請求項１、２、３または４記載のレンズフィルム。
【請求項６】
透光フィルムをＵＶ照射する照射工程において、透光フィルムが半硬化した状態で、レンズアレイの切り出し工程と、切り出し工程後の外形状の打ち抜き成形工程とを行い、その後に本硬化させることを特徴とする請求項１、２、３、４または５記載のレンズフィルムの製造方法。
【発明の詳細な説明】
【技術分野】
【０００１】
本発明は、光源から導光体を経て導かれた光線を一平面方向へ集光させるためのレンズフィルムに関するもののうち、特に、液晶ディスプレイ装置の液晶パネルと光源たる蛍光ランプ（熱陰極管や冷陰極管）の間に重畳されて組み込まれるレンズフィルムに関する。
【背景技術】
【０００２】
現在汎用されている液晶ディスプレイ装置においては、図１３に示したように、液晶パネルを背面からライティングするバックライト機構が配設されている。バックライト機構の構成は、液晶パネルから遠い順に、（１）管状の光源である蛍光管（熱陰極管や冷陰極管）、（２）蛍光ランプＬに隣接し、導光体内で液晶パネルに対し斜設された反射シート、（３）断面台形の透光板からなり、液晶パネルに平行な面を一構成面とする導光体、（４）導光体の前記一構成面に貼設された下拡散フィルム、（５）この下拡散フィルム上面に単数或いは複数枚重畳された断面鋸歯状（或いは蒲鉾状）のレンズフィルム、及び、（６）レンズフィルム上面に重畳された上拡散フィルム、という６つの構成からなる。
【０００３】
蛍光ランプＬから出て導光体内の反射シートで反射した細長い光は、導光体によって均一な面光源になり、下拡散フィルムで出射方向がやや調整され、レンズフィルムで液晶パネル側へ向かう垂直方向に集光される。そして、レンズフィルムと液晶パネル間の上拡散フィルムによって再度配光が調整され、液晶パネル面に対して均一なライティングが可能になっている。
【０００４】
ここでレンズフィルムは、透過型及び反透過型液晶表示装置において、液晶パネルへ入光する分散光を集光し、もって、バックライトの輝度を向上するものであるところ、従来のレンズフィルムとして、片面に鋸歯状の連続凹凸加工を施したものが存在した（例えば、特許文献１参照）。これは、鋸歯部分をレンズアレイとして、光の方向を平面内で一次元化させ、平面に略垂直な一方向へと整光する。
【０００５】
他に、従来のレンズフィルムとして、横断面略三角形の多数のプリズム部の稜線が、光源たる蛍光管の軸線と５〜８５°の角度を成すように形成したものが存在した（例えば、特許文献２参照）。これは、液晶パネルを含まないバックライト機構の内部で発生するモアレ現象を低減するものである。
【０００６】
すなわち、光源から距離の離れた光線が導光体表面に対して法線から離れる方向へ傾斜するところ、蛍光管の光源軸に対して傾斜させることで、光方向を法線方向へ持ってゆくと共に、光源軸と垂直方向の稜線距離（レンズ開口）を広げるものである。また、蛍光管の光源軸に対して傾斜させることで、レンズフィルムのレンズパターンと導光体のドットパターンとの干渉によるモアレ現象を低減するものである。
【０００７】
しかしながら、従来のレンズフィルムでは、モアレ現象の発生を十分に解消することはできなかった。すなわち、液晶パネルの規則的に配列された電極群と規則性のある格子状に形成されたレンズアレイにより干渉が生じモアレ縞と言われる輝度ムラによる表示品位低下が発生する。ところが前記特許文献２においては、バックライト機構内部のモアレ現象の低減手段であるため、稜線の傾斜角度が５〜８５°というきわめて大きな範囲でしか特定できず、液晶パネルを通した最終的なモアレ現象の解消に至るものではなかった。
【０００８】
【特許文献１】特開平２−８４６１８号公報
【特許文献２】特開平５−２０３９５０号公報
【発明の開示】
【発明が解決しようとする課題】
【０００９】
そこで、本発明は、液晶パネルを通した液晶ディスプレイ装置におけるモアレ現象の発生を十分に解消するレンズフィルムを提供することを課題とする。
【課題を解決するための手段】
【００１０】
本発明は、上記課題を解決すべく以下（１）ないし（６）の手段を採用したもので、その要旨とするところは、重畳する液晶パネルの画素に対する新規な勾配構造を具備したレンズフィルムとしたことにある。
【００１１】
（１）透光フィルム１の少なくとも一面に、断面視連続山形のレンズアレイ２を形成してなるレンズフィルムであって、レンズアレイ２は、連続山形の（谷或いは山）稜線に、重畳される液晶パネルの電極格子に対して、この電極格子の１画素の縦横比に対応した勾配をもたせて、平面内で斜行させたことを特徴とするレンズフィルム。
【００１２】
これにより、組み込まれたレンズフィルムの配置角度が所定のものに定まることで、液晶パネルとレンズフィルム相互の光干渉によるモアレ縞を解消することができ、視認者に対して最前面のモアレ現象が解消されることで、最終的なモアレ解消を効率的に行える。このため、モアレ縞に基づく表示斑を容易に解消し、表示品位の低下を確実に抑えることができる。
【００１３】
（２）上記レンズフィルムにおいて、前記勾配は、重畳される液晶パネルの１画素内で一端から他端へ至る縦距において、レンズアレイ２の連続山形の稜線が、一端の谷稜線から他端の山稜線（或いは山稜線から谷稜線）へと移動するような勾配とすることが好ましい。
【００１４】
この勾配はすなわち、連続山形の稜線ピッチの半幅（谷稜線から山稜線の距離）を電極格子の横辺に投影した稜線実効ピッチの半数値を整数倍し、これを電極格子の１画素分の縦距移動に対する横距移動とするものである。
【００１５】
これにより、モアレ縞の位相が、１画素の縦距の各位置に応じた周期でずれるものとなり、１画素を通じて１８０度単位で反転することで、モアレ光強度の分布が総和され、１画素中で相殺される。もって、各画素単位で輝度が一定となり、光干渉によるモアレ縞を、画面全体で完全に解消することが可能となる。
【００１６】
（３）上記いずれかのレンズフィルムにおいて、共通する絶対値の勾配を正負交互に連続形成して、レンズアレイ２の谷或いは山の少なくともいずれかの稜線を、液晶パネルの電極格子の横辺幅内で蛇行させてなるものとすることが好ましい。
【００１７】
すなわち、一画素内におけるレンズフイルムの山あるいは谷から谷あるいは山への移動を正の勾配、谷あるいは山から山あるいは谷への移動を負の勾配として正の勾配と負の勾配でレンズフイルムを蛇行させるものである。
【００１８】
このようなものであれば、電極格子を中心にプリズムの谷（或いは山）曲線蛇行させ、電極に対する勾配を交互に正負変化させることで、光干渉によるモアレ縞の発生を、複数画素内で、縦距方向へ均等に解消することができる。
【００１９】
（４）上記いずれかのレンズフィルムにおいて、複数のレンズピッチを1周期とする複合ピッチレンズフイルムであって、液晶パネルの電極に対しレンズフイルムの山あるいは谷の稜線を一画素の縦距内で半周期移動する様な勾配を設けて成るものとすることができる。
【００２０】
これにより、複合ピッチレンズフイルムにおけるモアレ縞の位相を１８０度反転させ相殺することによりモアレ縞発生による表示品位発生を完全に解消することができる。
【００２１】
（５）また、複数方向へ整光するものとして、上記いずれかのレンズフィルムにおいて、互いに角度を変えて稜線の交わるレンズアレイ２を、透光フィルム１の表裏面にそれぞれ形成してなるものとすることができる。
【００２２】
このようなものであれば、薄板でありながら平面に垂直な、平面内２方向の集光が可能となり、レンズフィルムの介層による輝度低下を抑えながら、面内の輝度を効率的に均一化させることができる。また、基材部の積層による厚さの増加を防ぎ、今後一層要望が強くなる超薄型化、軽量化を可能とする。
【００２３】
（６）また、上記いずれかのレンズフィルムの製造方法に於いて、透光フィルム１をＵＶ照射する照射工程において、透光フィルム１が半硬化した状態で、レンズアレイ２の切り出し工程と、切り出し工程後の外形状の打ち抜き成形工程とを行い、その後に本硬化させるものとすることができる。
【００２４】
このようなものであれば、本硬化後に切り出しや打ち抜きを行うことに基づく、刃物によるレンズ端面のワレ、欠け、歪等の微小欠陥発生による白濁を回避することができる。
【００２５】
また、切り出し工程の後に打ち抜き工程を行うことで、所定勾配の稜線の形成が、液晶パネルのサイズに応じて硬化と共に容易に可能となる。
【００２６】
更に、切り出し工程においてはロールバイトによる効率的なレンズアレイ２の切り出しが可能となるため、生産性に優れた安価なレンズフィルムを得ることができる。
【発明の効果】
【００２７】
本発明は、上述のような構成としたことで、液晶パネルを通した液晶ディスプレイ装置におけるモアレ現象の発生を十分に解消するレンズフィルムが得られる。
【発明を実施するための最良の形態】
【００２８】
以下、本発明を実施するための最良の形態を、実施例として示す図と共に説明する。以下の実施例を含む本発明のレンズフィルムは、液晶パネルと光源との間へ、直接或いは間接的に重畳されて、液晶画面表示装置或いはその一部であるバックライト機構に組み込まれるものである。その構成は、重畳される液晶パネルに対応した形状の透光フィルム１と、この透光フィルム１の少なくとも一面に、断面視連続山形のレンズアレイ２を形成してなる。
【００２９】
そして、レンズアレイ２が、連続山形の（谷或いは山）稜線に、重畳される液晶パネルの電極格子の縦横辺に対して、平面内で斜行するように勾配を設けたことを特徴とする。斜行の角度すなわち勾配は、電極格子の１画素の縦横比に対応したものであり、具体的には、各画素を直線的に通過する稜線の勾配の絶対値が、１画素の辺長によって定まる所定の蛇行角θで共通するものである。
【００３０】
各実施例では、液晶パネルの電極に対しレンズフイルムの山あるいは谷の稜線を一画素内で山から谷あるいは谷から山へ移動する様勾配を設けている。これにより、モアレ縞の位相を１８０度反転させ相殺することができる。よって、モアレ縞発生による表示品位発生を完全に解消するものである。
【００３１】
なお、レンズアレイ２作成に於いてベースフィルム基材を必要としない超薄型フイルムレンズとすることもできる。
【００３２】
本発明のレンズフィルムが重畳される液晶パネルは、Ｒ、Ｇ、Ｂドットで電極の一画素を構成する、マトリックス構造型液晶パネルである。下記実施例では図４に示すようなストライプ配列電極液晶パネルであるが、本発明と同一の技術を用いることで、デルタ配列液晶パネルに適用することもできる。
【００３３】
なお、図４に示すようなストライプ配列電極液晶パネルでは、各画素のアスペクト比を１対１としており、電極部は、光の透過・反射を避けるためのブラックマスクを覆設している。下記シミュレーションにおいては、図４（Ｃ）に示すように、画素ピッチを、Ｘ軸（横距）Ｙ軸（縦距）共にＤ〔μｍ〕とし、電極部を省いた透過画素部を、Ｘ（横距）Ｙ軸（縦距）共にＤｅ〔μｍ〕としている。
【００３４】
透光フィルム１は、拡散層を保持する構造機能を有した板又はフィルムであり、完全又は不完全な透明性を有する。主たる構成材として、ポリエチレンテレフタレート（ＰＥＴ）樹脂、ポリカーボネート樹脂、ポリスチレン樹脂、アクリル樹脂、透明ガラス、無機透明物質等の透明質のものであれば使用可能である。厚さは特に限定するものではないが、加工の容易性、ハンドリング性、用途に応じた弾性、耐久性等を考慮して、１０μｍｍ〜５００μｍｍ程度が好ましい。
【実施例１】
【００３５】
実施例１は、１画素内で直線となるように稜線を蛇行させたレンズフィルムであり、図１、２、３および７にその構成が示される。図１は本発明の実施例１のレンズフィルムの平面視模式図を示す。図２、３はレンズフィルムのレンズアレイの稜線について、重畳される液晶パネルとの関係を示した平面視説明図であり、図２は液晶パネルの一画素との位置関係を、図３は画素の縦方向中心軸（すなわち画素の縦距（Ｙ軸）に沿った、横距（Ｘ軸）を二等分する縦軸）との蛇行角度θを、それぞれ示す。
【００３６】
また図４は、実施例１のレンズフィルムが重畳されるマトリックス構造型液晶パネルを簡略化したシミュレーションモデルを示す説明図である。
【００３７】
そして、図５は、勾配のない従来のレンズフィルムのモアレ縞のシミュレーション結果を、図６は、勾配を設けた実施例１のレンズフィルムのモアレ縞のシミュレーション結果を、それぞれ示すグラフである。
【００３８】
また、図７は、実施例１のレンズフィルムにおいて、断面が連続不等辺三角形のレンズフィルムの部分断面図である。
【００３９】
そして、図１３は、本発明及び従来のレンズフィルムが組み込まれる液晶パネルユニットの構造、つまり液晶表示装置の構成例を示す斜視説明図である。
【００４０】
図４のごとく液晶パネルの画素ピッチをＤ、開口部をＤe、レンズアレイ２の格子ピッチをｄ（格子が電極に対し傾斜している場合は実効ピッチｄe）、液晶パネルの電極中心とプリズム格子の谷の距離をλ（Ｙ）としたとき、パネルの透過率Ｔｐとレンズアレイ２から出る光強度をＩｌとし、Ｔｐを電極部の透過率ゼロの窓関数（三角関数の電極幅間はゼロ、窓期間は透過率ｋとする周期関数）、Ｉｌを三角関数としてシミュレーションを行った。
【００４１】
先ず、電極部の透過率ゼロの窓関数Ｔｐは、下記数式１および図４（ａ）で示される〔０、１〕の２値関数となる。
【００４２】
【数１】
2006017957.tif 000003
次に、レンズアレイ２から出る光強度Ｉｌは、ｋを白色表示のときの透過率、ηをレンズ出射光強度係数とすると、下記数式２および図４（ｂ）で示されるような、正値のみが連続した正弦全波関数となる。
【００４３】
【数２】
2006017957.tif 000004
上記ＴｐおよびＩｌに基づき、白色表示のときの液晶パネルから出射する出射光強度を求めると、下記数式３および図４（ｃ）で示される外積値となる。
【００４４】
【数３】
2006017957.tif 000005
以上より、Ｂ（ｉ、ｊ）の全平均に対する各画素の比をパーセント表示すると、下記数式４および図４（ｄ）、図４（ｅ）のような、１００％を関数軸としてこの関数軸の正負交互に連続した正弦波関数となる。なお、図４（ｅ）は図４（ｄ）の横軸縮尺のみを変えた同グラフである。
【００４５】
但し、（ｉ、ｊ）番目の画素から出射される輝度Ｂは下記数式５で表される。
【００４６】
【数４】
2006017957.tif 000006
【００４７】
【数５】
2006017957.tif 000007
（モアレ縞シミュレーション実施例）
液晶パネルの画素ピッチ：Ｄ=２４３μｍ、電極幅：Ｄ―Ｄe=４０μｍとし、断面連続二等辺三角形のレンズアレイ２の谷間或いは山間ピッチ：ｄ＝４８μｍとし、更に、レンズアレイ２の山或いは谷線と電極が平行即ち、実効ピッチ：ｄｅ=ｄの状態のモアレ縞のシミュレーションを行った。
【００４８】
初期値はパネル電極中心線とレンズ谷に合わす。すなわちλ（Ｙ）＝０、また係数ｋおよびηをそれぞれ1として正規化する。
【００４９】
λ（Ｙ）＝０とレンズの谷をX軸正側に半ピッチ並行移動させたλ（Ｙ）＝２４μｍのシミュレーションの結果を図５、図６に示す。図５（ｄ）（ｅ）および図６（ｄ）（ｅ）をみると、モアレ縞が１６から１７画素周期で９５％から１０５％の濃淡の表示むらができるものであるが、図５（ｄ）（ｅ）の「ずらしなし」と図６（ｄ）（ｅ）の「２４μｍずらし」の濃淡は完全に逆位相で濃淡むらを相殺することがわかる。
【００５０】
この結果から二等辺プリズムに於いては半ピッチ（半周期）ずらすことによりモアレ縞も半周期ずれる事がわかる。即ち、各画素内でこの半周期ずらしを行えば表示の最小単位である１画素内でモアレによる「むら」を相殺し解消することが出来る。
【００５１】
１画素内で半ピッチ（二等辺プリズムの場合）ずらす１画素とプリズムの山谷移動の状況を図２に示す。これは縦側パネル電極或いはＹ軸に対しプリズムの山あるいは谷線に勾配を持たせることで可能となる。
【００５２】
その条件は二等辺プリズムの場合、下記数式６で表されるλを勾配の絶対値とするものである。すなわち、液晶パネルの電極或いはＹ軸を中心に勾配±{（ｕ＋１／２）＊ｄ／Ｄｅ}でプリズムを蛇行させればよい。
【００５３】
【数６】
2006017957.tif 000008
なお、図7の如き不等辺三角形レンズアレイ２の場合には（５）式の勾配は下記数式７のごとく正負で変わる値となる。すなわち、不等辺プリズムの場合、パネル電極を中心に対し勾配λ＝＋{（ｕ＋ｄ２／ｄ）＊ｄ／Ｄｅ}および−{（ｕ＋ｄ１／ｄ）＊ｄ／Ｄｅ}で蛇行させればよい。
【００５４】
【数７】
2006017957.tif 000009
このパネル電極に対するレンズアレイ２の蛇行角は、下記数式８、９で示される。また、実施例１の断面連続二等辺三角形の場合、モアレ解消の蛇行角度は下記表１で示される。
【００５５】
【数８】
2006017957.tif 000010
【００５６】
【数９】
2006017957.tif 000011
【００５７】
【表１】
2006017957.tif 000012
【００５８】
但し、蛇行角度が大きくなれば、図２に示される実効ピッチｄeが大きくなるので、数式８、９および表１においては、u=0 の最小角度で実施することが推奨される。すなわち下記数式１０で示される実効ピッチを具備するものであれば良い。
【００５９】
【数１０】
2006017957.tif 000013
（製造方法例）
本発明のレンズフィルムの製造方法として、透光フィルム１をＵＶ照射する照射工程において、透光フィルム１が半硬化した状態で、レンズアレイ２の切り出し工程と、切り出し工程後のレンズフィルム外形状の打ち抜き成形工程とを行い、その後に本硬化させるものとすることができる。
【００６０】
切り出し工程においては、バイト刃を蛇行させたロールバイトによって、レンズアレイ２の波状の蛇行稜線を一体的に形成するものであれば、適切な角度を得るために鋸刃状に形成されたレンズアレイ２を製品形状にカットする際に角度をつけて切り出しているものに対して、カットによるロス及びカット時の不良率によるロスが生じず、また平板状バイトによるものよりも生産性が良いものとなる。もって、モアレ現象の発生しない高機能のレンズフィルムを安価に得ることができる。
【００６１】
なお、ロールバイトの蛇行角および蛇行形状は、重畳させる液晶パネルの画素形状に応じて、所定の勾配（例えば、下記数式６で示される勾配λ等）および所定の蛇行周期（例えば、直線部分が各画素において図２で示される［Ｄｅ/ｃｏｓθ］の長さ等）となるように決定されたものである。
【００６２】
打ち抜き成形工程においては、実際の打ち抜きの前に打ち抜き形状を決定する、打ち抜き形状決定工程を経るものとすることができる。打ち抜き形状決定工程とは、例えば、重畳させる液晶パネルの画素形状に応じて所定の勾配（例えば、上記数式６で示される勾配λや、数式８で示される傾斜角度θ）を決定し、次に、この決定値と、液晶パネルの外形（インチ、サイズ）或いはレンズフィルム配設箇所の形状とに応じた打ち抜き形状を決定することによる。最終的な決定においては、予め算出した数パターンの所定の角度及び外形状から選択することもできる。
【実施例２】
【００６３】
実施例２は、図８、９に平面稜線を示すような、曲線が蛇行してなるレンズフィルムであり、連続的に複数画素内のモアレをきわめて精度よく解消することができる。
【００６４】
図８は、本発明の実施例２のレンズフィルムの平面視模式図であり、図９及び図１０は、その平面視部分拡大図である。図１１（ａ）（ｂ）はそれぞれ、実施例２のレンズフィルムの勾配λおよび実効ピッチｄｅを示す円蛇行データである。
【００６５】
そして、図１３は、本発明及び従来のレンズフィルムが組み込まれる液晶パネルユニットの構造を示す斜視説明図である。
【００６６】
実施例１の直線蛇行はレンズの格子ピッチは一定でパネル電極格子に対しレンズ格子の山或いは谷線の移動を連続的に移動させるのに対し曲線蛇行はパネル電極格子に対してレンズ格子の山或いは谷線の位置と実効的なレンズピッチを連続的に移動・変化させることが出来る。その他の構造は、実施例１と同様である。
【００６７】
曲線蛇行の実施例として、円弧蛇行の詳細を図９、図１０に示す。この円弧蛇行に於いて、移動位置λ（Ｙ）および実効ピッチｄe（Ｙ）は、下記数式１１、１２で示される。
【００６８】
【数１１】
2006017957.tif 000014
【００６９】
【数１２】
2006017957.tif 000015
具体的な数値の入力例として、Ｄ=４８μｍ、Ｒ=１００００μｍ、θ＋=３０のときのλ（Ｙ）及びｄｅ（Ｙ）を求めると図１１のようになる。
【００７０】
この場合、Ｙ＝１近辺ではレンズアレイ２の谷或いは山がパネル電極或いはＹ軸から最も離れ（λ（Ｙ）=１３４０μｍ、２９画素分）と同時に平行なるので実効レンズピッチは最小のピッチｄｅ（Ｙ）ｍｉｎ=ｄ=４８μｍとなる。Ｙ=５０００μｍ近辺ではレンズアレイ２の谷或いは山がパネル電極或いはＹ軸と交差し移動距離はゼロなる一方で角度が最大３０度となり実効レンズピッチｄe（Ｙ）ｍａｘ＝５５．４μｍと最大になる。
【００７１】
すなわちレンズアレイ２の位相（電極或いはＹ軸に対する移動距離）と周期（実効ピッチｄｅ）とが連続的に変化し、図９に示す円弧の蛇行サイクル内ではこの二つの組み合わせで同じポイント（周期性）はないのでこの範囲内ではモアレの発生は軽減・解消される。したがって、Ｐの距離については液晶表示パネルサイズに応じて設定するか。または非周期的な曲線により蛇行させればパネルのサイズを考慮する必要はない。
【実施例３】
【００７２】
本発明の実施例３を図１２に示す。図１２は、実施例１のレンズフィルムにおいて、稜線が蛇行せず直線からなるものであると共に、重畳される液晶パネルに対する配設角度を認識する配設角度認識手段３を、少なくとも片面に付設したものである。
【００７３】
配設角度認識手段３は、液晶パネルの画素形状、液晶パネルの外形状、およびレンズアレイ２の稜線ピッチのそれぞれに応じて、上記数式７のような勾配、数式８、９のような傾斜角度を予め決定しておき、これに応じた配設角度を、容易に認識できるように予めレンズフィルム自体に付したものである。
【００７４】
実施例では図１２に示すように、重畳される液晶パネルの外形状の四隅の部分に対応したＬ字状の直線模様を、山稜線の一ピッチ間にのみ付している。このような図形による配設角度認識手段３であれば、直感的に配設角度が認識できるため、配設作業の効率化や配設角度のチェックのために好ましい。
【００７５】
図形による配設角度認識手段３の図形形状として、打ち抜き外形状を記載あるいは刻設するものでもよい。また図形の記載の他、着色、粗目やエンボス加工、或いは、刻印や切り目を入れたものでも良いが、いずれも、レンズ作用に悪影響が及ばない程度の、小範囲及び微細量のものであることが好ましい。
【００７６】
また配設角度認識手段３は、重畳される液晶パネルの種類によって配設角度が変わる場合には、液晶パネルの型番や種類と共に数種の配設角度を記載するものでも良い。
【実施例４】
【００７７】
実施例４として、上記実施例のいずれかにおいて、レンズアレイ２を透光フィルム１の表裏両面に、互いに角度を変えて設けたものとしてもよい。すなわち、上記実施例１ないし３は、透光フィルム１の片面たる表面にレンズアレイ２を設けたものであるが、上記実施例１ないし３のいずれかのレンズアレイ２をもう一方の片面たる裏面に、角度を変えて稜線が互いに交わるように設け、表面の一方向と裏面の一方向との、合計２方向へ整光するものとしてもよい（図示せず）。ただし、表裏それぞれのレンズアレイ２の勾配λや傾斜角度θは、上記実施例で特定するような、重畳される液晶パネルの画素形状に応じたものとする。
【００７８】
このとき、表裏のレンズアレイ２の稜線は、互いに直交するか、或いは９０度に前記所定の傾斜角度θの倍数を加減した角度で交わることが望ましい。これにより、２方向へ効率よく整光することができる。また、傾斜角度θの倍数を加減した角度、すなわち〔９０＋２＊θ〕或いは〔９０−２＊θ〕で交わるものとすれば、レンズアレイ２が光源軸から離れることによる、光源軸との垂直距離（レンズ開口）の拡大による影響を抑えることができる。
【００７９】
その他、各部の具体的な構成及び製造方法に関する具体的な工程は、上述した実施例に限定されるものでなく、例えばデルタ配列液晶パネルに対しても、前記所定の勾配及び長さの稜線を形成するなど、本発明の趣旨を逸脱しない範囲で種々の変形が可能である。
【産業上の利用可能性】
【００８０】
このようにして得られた本発明のレンズフィルムは、主に、液晶ディスプレイ装置に組み込まれるライティング機構用のレンズフィルムとして好適に用いられるが、その他、光源から導光体を経て導かれた光線を集整させる光学フィルムとして広く用いられうるものである。
【図面の簡単な説明】
【００８１】
【図１】本発明の実施例１のレンズフィルムの平面視模式図である。
【図２】図１に示すレンズフィルムの稜線について、重畳されるマトリックス構造型液晶パネルの画素との関係を示す平面視部分拡大図である。
【図３】図１に示すレンズフィルムの稜線について、重畳されるマトリックス構造型液晶パネルの画素の縦方向中心軸との蛇行角度を示す平面視部分拡大図である。
【図４】実施例１のレンズフィルムが重畳されるマトリックス構造型液晶パネルを簡略化したシミュレーションモデルを示す説明図である。
【図５】勾配のないレンズフィルムのモアレ縞のシミュレーション結果を示すグラフである。
【図６】勾配を設けた実施例１のレンズフィルムのモアレ縞のシミュレーション結果を示すグラフである。
【図７】実施例１のレンズフィルムにおいて、断面が連続不等辺三角形のレンズフィルムの部分断面図である。
【図８】本発明の実施例２のレンズフィルムの平面視模式図である。
【図９】図８に示すレンズフィルムの平面視部分拡大図である。
【図１０】図８に示すレンズフィルムの平面視部分拡大図である。
【図１１】実施例２のレンズフィルムの勾配および実効ピッチを示すグラフである。
【図１２】本発明の実施例３のレンズフィルムを示す平面視説明図である。
【図１３】本発明及び従来のレンズフィルムが組み込まれる液晶パネルユニットの構造を示す斜視説明図である。
【符号の説明】
【００８２】
１  透光フィルム
２  レンズアレイ
３  配設角度認識手段
【図１】
2006017957.tif 000016
【図２】
2006017957.tif 000017
【図３】
2006017957.tif 000018
【図４】
2006017957.tif 000019
【図５】
2006017957.tif 000020
【図６】
2006017957.tif 000021
【図７】
2006017957.tif 000022
【図８】
2006017957.tif 000023
【図９】
2006017957.tif 000024
【図１０】
2006017957.tif 000025
【図１１】
2006017957.tif 000026
【図１２】
2006017957.tif 000027
【図１３】
2006017957.tif 000028